【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
ＬＥＤランプであって、
ハウジングと、
前記ハウジング内に配置されかつ電力源へ電気的に接続するように構成された駆動回路と、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動される、複数のＬＥＤダイと、
前記駆動回路へ電気的に接続されて、複数の光出力構成のうちの１つの内部のＬＥＤダイを駆動するように前記駆動回路をプログラムする出力選択コントローラと、
を含み、
前記複数の光出力構成は、睡眠前構成および一般的な照明構成を含む、
ＬＥＤランプ。
【請求項２】
前記複数のＬＥＤダイに含まれるミントダイのパワースペクトルは、４６０〜４９０ｎｍ領域においてノッチまたは溝部を有する、請求項１に記載のＬＥＤランプ。
【請求項３】
ＬＥＤミントダイパワースペクトルは、約４７０〜４７５ｎｍまたはその近隣において最小中心を有するノッチまたは溝部を有する、請求項１に記載のＬＥＤランプ。
【請求項４】
ミントダイによって示されるパワースペクトルにおいて、４７０〜４８０ｎｍ範囲における放射力の最大強度は、前記ダイのピーク強度の約２．５％未満である、請求項１に記載のＬＥＤランプ。
【請求項５】
前記複数のＬＥＤダイは、赤色／オレンジ色ＬＥＤダイ、シアンＬＥＤダイ、ミントＬＥＤダイおよび青色ＬＥＤダイを含む、請求項１に記載のＬＥＤランプ。
【請求項６】
前記複数のＬＥＤダイにおいて、赤色／オレンジ色ＬＥＤダイ、シアンＬＥＤダイ、ミントＬＥＤダイおよび青色ＬＥＤダイそれぞれの間の比は２：３：３：３である、請求項１に記載のＬＥＤランプ。
【請求項７】
前記複数のＬＥＤダイは、２つの赤色ＬＥＤダイ、３つのシアンＬＥＤダイ、３つのミントＬＥＤダイおよび３つの青色ＬＥＤダイを含む、請求項１に記載のＬＥＤランプ。
【請求項８】
前記複数の光出力構成は、位相シフト構成を含む、請求項１に記載のＬＥＤランプ。
【請求項９】
前記睡眠前構成において、前記駆動回路は、前記ダイから放出される放射力の比が、ミントＬＥＤダイから生成される放射力が約１ワットであり、赤色／オレンジ色ＬＥＤダイから生成される放射力が約０．８ワットであり、シアンＬＥＤダイから生成される放射力が約０．３ワットとなるように、前記複数のＬＥＤダイを駆動する、請求項１に記載のＬＥＤランプ。
【請求項１０】
前記一般的な照明構成において、前記駆動回路は、前記ダイから放出される放射力の比が、ミントＬＥＤダイから生成される放射力が約１ワットであり、赤色／オレンジ色ＬＥＤダイから生成される放射力が約０．２ワットであり、青色ＬＥＤダイから生成される放射力が約０．２ワットとなるように、前記複数のＬＥＤダイを駆動する、請求項１に記載のＬＥＤランプ。
【請求項１１】
前記位相シフト構成において、前記駆動回路は、前記ダイから放出される放射力の比が、ミントＬＥＤダイから生成される放射力が約１ワットであり、赤色／オレンジ色ＬＥＤダイから生成される放射力が約０．１ワットであり、青色ＬＥＤダイから生成される放射力が約０．５ワットであるように、前記複数のＬＥＤダイを駆動する、請求項８に記載のＬＥＤランプ。
【請求項１２】
前記ＬＥＤランプは、演色評価数が７０を超える、生物学的に調節された光出力を生成するように、調節可能である、請求項１に記載のＬＥＤランプ。
【請求項１３】
前記出力選択コントローラは、ユーザが前記光出力構成を選択することを可能にするユーザ入力インターフェースを含む、請求項１に記載のＬＥＤランプ。
【請求項１４】
前記光出力構成の選択において考慮される入力変数を提供するように前記出力選択コントローラへ電気的に接続された入力センサー、
をさらに含む、請求項１に記載のＬＥＤランプ。
【請求項１５】
前記入力センサーは熱センサーであり、前記入力変数は、周辺温度、サポート温度、ＬＥＤダイ温度、ハウジング温度およびその任意の組み合わせからなる群から選択される、請求項１４に記載のＬＥＤランプ。
【請求項１６】
前記入力センサーは光センサーであり、前記入力変数は、前記ランプから生成される光出力、周辺光、日中光サイクル、およびその任意の組み合わせからなる群から選択される、請求項１４に記載のＬＥＤランプ。
【請求項１７】
前記入力センサーはＧＰＳチップを含み、前記入力変数は、前記ランプの位置、予測される周辺光、実際の周辺光、日中光サイクル、季節の光サイクル変動、時刻、およびその任意の組み合わせからなる群から選択される、請求項１４に記載のＬＥＤランプ。
【請求項１８】
前記睡眠前構成において、前記駆動回路は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１０％を下回るように、前記複数のＬＥＤダイを駆動する、請求項１に記載のＬＥＤランプ。
【請求項１９】
前記位相シフト構成において、前記駆動回路は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１２５％を超えるように、前記複数のＬＥＤダイを駆動する、請求項８に記載のＬＥＤランプ。
【請求項２０】
前記位相シフト構成において、前記駆動回路は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１５０％〜２５０％に収まるように、前記複数のＬＥＤダイを駆動する、請求項８に記載のＬＥＤランプ。
【請求項２１】
前記ランプの演色評価数は８０を超える、請求項１に記載のＬＥＤランプ。
【請求項２２】
前記一般的な照明構成において、前記駆動回路は、可視スペクトル出力範囲約３８０ｎｍ〜約４８５ｎｍにおける青色出力強度レベルが、約約４８５ｎｍを超える可視スペクトル出力中の他の任意のピークの相対的スペクトルパワーの１００％〜約２０％に収まるように、前記複数のＬＥＤダイを駆動する、請求項１に記載のＬＥＤランプ。
【請求項２３】
前記ランプの演色評価数は９０を超える、請求項５に記載のＬＥＤランプ。
【請求項２４】
前記睡眠前構成において、前記駆動回路は、約９５０ｍＡの電流がミントＬＥＤダイへ送達され、約１，０００ｍＡの電流が赤色／オレンジ色ＬＥＤダイへ送達され、約６５ｍＡの電流がシアンＬＥＤダイへ送達され、約３０ｍＡの電流が青色ＬＥＤダイへ送達されるように、前記複数のＬＥＤダイを駆動する、請求項１に記載のＬＥＤランプ。
【請求項２５】
前記複数の光出力構成は位相シフト構成を含み、前記位相シフト構成において、前記駆動回路は、約９５０ｍＡの電流がミントＬＥＤダイへ送達され、約１５０ｍＡの電流が赤色ＬＥＤダイへ送達され、約２３５ｍＡの電流がシアンＬＥＤダイへ送達され、約５２５ｍＡの電流が青色ＬＥＤダイへ送達されるように、前記複数のＬＥＤダイを駆動する、請求項１０に記載のＬＥＤランプ。
【請求項２６】
前記一般的な照明構成において、前記駆動回路は、約５００ｍＡの電流がミントＬＥＤダイへ送達され、約２５０ｍＡの電流が赤色ＬＥＤダイへ送達され、約２１０ｍＡの電流がシアンＬＥＤダイへ送達され、約１９０ｍＡの電流が青色ＬＥＤダイへ送達されるように、前記複数のＬＥＤダイを駆動する、請求項１に記載のＬＥＤランプ。
【請求項２７】
演色評価数が７０を超える、生物学的に調節された光出力を生成する、調節可能なＬＥＤランプであって、
ベースと、
前記ベースへ取り付けられたハウジングと、
前記ハウジング内に配置されかつおよび前記ベースへ取り付けられた導線を有する電力回路と、
前記ハウジング内に配置されかつ前記電力回路へ電気的に接続された駆動回路と、
前記ハウジングの周囲に配置されたヒートシンクと、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動され、前記複数のＬＥＤダイは、２つの赤色／オレンジ色ＬＥＤダイ、３つのシアンＬＥＤダイ、３つのミントＬＥＤダイおよび３つの青色ＬＥＤダイ間の比を含む、複数のＬＥＤダイと、
前記駆動回路へ電気的に接続されて、複数の光出力構成のうちの１つの内部のＬＥＤダイを駆動するように前記駆動回路をプログラムする出力選択コントローラであって、前記複数の光出力構成は、睡眠前構成、位相シフト構成および一般的な照明構成を含む、出力選択コントローラと、
を含む、調節可能なＬＥＤランプ。
【請求項２８】
前記出力選択コントローラは、ユーザが前記光出力構成を選択することを可能にするユーザ入力インターフェースを含む、請求項２７に記載の調節可能なＬＥＤランプ。
【請求項２９】
前記光出力構成の選択において考慮される入力変数を提供するように前記出力選択コントローラへ電気的に接続された入力センサーをさらに含む、請求項２７に記載の調節可能なＬＥＤランプ。
【請求項３０】
前記入力センサーは熱センサーであり、前記入力変数は、周辺温度、サポート温度、ＬＥＤダイ温度、ハウジング温度および任意の組み合わせからなる群から選択される、請求項２９に記載の調節可能なＬＥＤランプ。
【請求項３１】
前記入力センサーは光センサーであり、前記入力変数は、前記ランプから生成される光出力、周辺光、日中光サイクル、およびその任意の組み合わせからなる群から選択される、請求項２９に記載の調節可能なＬＥＤランプ。
【請求項３２】
前記入力センサーはＧＰＳチップを含み、前記入力変数は、前記ランプの位置、予測される周辺光、実際の周辺光、日中光サイクル、季節の光サイクル変動、時刻、およびその任意の組み合わせからなる群から選択される、請求項２９に記載の調節可能なＬＥＤランプ。
【請求項３３】
前記睡眠前構成において、前記駆動回路は、可視スペクトル出力範囲約３８０ｎｍ〜約４８５ｎｍにおける青色出力強度レベルが約４８５ｎｍを超える可視スペクトル出力中の他の任意のピークの相対的スペクトルパワーの約１０％を下回るように、前記複数のＬＥＤダイを駆動する、請求項２７に記載の調節可能なＬＥＤランプ。
【請求項３４】
前記位相シフト構成において、前記駆動回路は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１２５％を上回るように、前記複数のＬＥＤダイを駆動する、請求項２７に記載の調節可能なＬＥＤランプ。
【請求項３５】
前記位相シフト構成において、前記駆動回路は、可視スペクトル出力範囲約４５５ｎｍ〜約４８５ｎｍにおける青色出力強度レベル、約４８５ｎｍを超える可視スペクトル出力中の他の任意のピークの相対的スペクトルパワーの約１５０％〜２５０％内に収まるように、前記複数のＬＥＤダイを駆動する、請求項２７に記載の調節可能なＬＥＤランプ。
【請求項３６】
前記演色評価数は、８０を超える、請求項３４に記載の調節可能なＬＥＤランプ。
【請求項３７】
前記一般的な照明構成において、前記駆動回路は、約３８０ｎｍ〜約４８５ｎｍの可視スペクトル出力範囲における青色出力強度レベルが、約４８５ｎｍを超える可視スペクトル出力中の他の任意のピークの相対的スペクトルパワーの約１００％〜約２０％内に収まるように、前記複数のＬＥＤダイを駆動する、請求項２７に記載の調節可能なＬＥＤランプ。
【請求項３８】
前記演色評価数は、８５を超える、請求項３６に記載の調節可能なＬＥＤランプ。
【請求項３９】
前記睡眠前構成における前記演色評価数は７０を超え、前記一般的な照明構成における前記演色評価数は８５を超え、前記位相シフト構成における前記演色評価数は８０を超える、請求項２７に記載の調節可能なＬＥＤランプ。
【請求項４０】
前記睡眠前構成において、前記駆動回路は、前記ダイから放出される放射力の比が前記ミントＬＥＤダイから生成される約１ワットの放射力と、前記赤色／オレンジ色ＬＥＤダイから生成される約０．８ワットの放射力と、前記シアンＬＥＤダイから生成される約０．３ワットの放射力との間の比となるよう、前記複数のＬＥＤダイを駆動する、請求項２７に記載の調節可能なＬＥＤランプ。
【請求項４１】
前記一般的な照明構成において、前記駆動回路は、前記ダイから放出される放射力の比が、前記ミントＬＥＤダイから生成される放射力が約１ワットとなり、前記赤色／オレンジ色ＬＥＤダイから生成される放射力が約０．２ワットとなり、前記青色ＬＥＤダイから生成される放射力が約０．２ワットとなるように、前記複数のＬＥＤダイを駆動する、請求項２７に記載の調節可能なＬＥＤランプ。
【請求項４２】
前記位相シフト構成において、前記駆動回路は、前記ダイから放出される放射力の比が、前記ミントＬＥＤダイから生成される放射力が約１ワットとなり、前記赤色／オレンジ色ＬＥＤダイから生成される放射力が約０．１ワットとなり、前記青色ＬＥＤダイから生成される放射力が約０．５ワットとなるように、前記複数のＬＥＤダイを駆動する、請求項２７に記載の調節可能なＬＥＤランプ。
【請求項４３】
前記睡眠前構成において、前記駆動回路は、約０．６ワットの放射力が前記ミントＬＥＤダイによって生成され、約０．５ワットの放射力が前記赤色／オレンジ色ＬＥＤダイによって生成され、約０．２ワットの放射力が前記シアンＬＥＤダイによって生成されるように、前記複数のＬＥＤダイを駆動する、請求項２７に記載の調節可能なＬＥＤランプ。
【請求項４４】
前記一般的な照明構成において、前記駆動回路は、約１．９ワットの放射力が前記ミントＬＥＤダイによって生成され、約０．３ワットの放射力が前記赤色／オレンジ色ＬＥＤダイによって生成され、約０．４ワットの放射力が前記シアンＬＥＤダイによって生成され、約０．４ワットの放射力が前記青色ＬＥＤダイによって生成されるように、前記複数のＬＥＤダイを駆動する、請求項２７に記載の調節可能なＬＥＤランプ。
【請求項４５】
前記位相シフト構成において、前記駆動回路は、約１．７ワットの放射力が前記ミントＬＥＤダイによって生成され、約０．２ワットの放射力が前記赤色／オレンジ色ＬＥＤダイによって生成され、約０．９ワットの放射力が前記青色ＬＥＤダイによって生成されるように、前記複数のＬＥＤダイを駆動する、請求項２７に記載の調節可能なＬＥＤランプ。
【請求項４６】
前記睡眠前構成において、前記駆動回路は、約９５０ｍＡの電流が前記ミントＬＥＤダイへ送達され、約１，０００ｍＡの電流が前記赤色／オレンジ色ＬＥＤダイへ送達され、約６５ｍＡの電流が前記シアンＬＥＤダイへ送達されるように、前記複数のＬＥＤダイを駆動する、請求項２７に記載の調節可能なＬＥＤランプ。
【請求項４７】
前記位相シフト構成において前記駆動回路は、約９５０ｍＡの電流が前記ミントＬＥＤダイへ送達され、約１５０ｍＡの電流が前記赤色／オレンジ色ＬＥＤダイへ送達され、約２３５ｍＡの電流が前記シアンＬＥＤダイへ送達され、約５２５ｍＡの電流が前記青色ＬＥＤダイへ送達されるように、前記複数のＬＥＤダイを駆動する、請求項２７に記載の調節可能なＬＥＤランプ。
【請求項４８】
前記一般的な照明構成において、前記駆動回路は、約５００ｍＡの電流が前記ミントＬＥＤダイへ送達され、約２５０ｍＡの電流が前記赤色／オレンジ色ＬＥＤダイへ送達され、約２１０ｍＡの電流が前記シアンＬＥＤダイへ送達され、約１９０ｍＡの電流が前記青色ＬＥＤダイへ送達されるように、前記複数のＬＥＤダイを駆動する、請求項２７に記載の調節可能なＬＥＤランプ。
【請求項４９】
ミントダイによって生成されるパワースペクトルは、４６０−４９０ｎｍ領域においてノッチまたは溝部を有する、請求項２７に記載の調節可能なＬＥＤランプ。
【請求項５０】
前記ミントダイのパワースペクトルは、約４７０〜４７５ｎｍまたはその近隣において最小中心を有するノッチまたは溝部を有する、請求項４９に記載の調節可能なＬＥＤランプ。
【請求項５１】
ミントダイによって示されるパワースペクトルにおいて、４７０〜４８０ｎｍ範囲における放射力の最大強度は、前記ダイのピーク強度の約２．５％未満である、請求項２７に記載の調節可能なＬＥＤランプ。
【請求項５２】
ミントダイによって示されるパワースペクトルにおいて、４６０〜４９０ｎｍ範囲における放射力の最大強度は、前記ダイのピーク強度の約５％未満である、請求項４１に記載の調節可能なＬＥＤランプ。
【請求項５３】
演色評価数が７０を超える、生物学的に調節された光出力を生成する、調節可能なＬＥＤランプの製造方法であって、
ベースをハウジングに取り付けること；前記ハウジング内の電力回路のリード線を前記ベースへ電気的に接続すること；前記ハウジング内に配置された駆動回路を前記電力回路へ電気的に接続することと、
複数のＬＥＤダイそれぞれが前記駆動回路へ電気的に接続されかつ前記駆動回路によって駆動されるように、前記ハウジングへ接続されたサポート上へ前記複数のＬＥＤダイを取り付けることであって、前記複数のＬＥＤダイは、２つの赤色／オレンジ色ＬＥＤダイ、３つのシアンＬＥＤダイ、３つのミントＬＥＤダイおよび３つの青色ＬＥＤダイを含む、ことと、
複数の光出力構成のうちの１つの内部のＬＥＤダイを駆動するように前記駆動回路を構成することであって、前記複数の光出力構成は、睡眠前構成、位相シフト構成および一般的な照明構成を含む、ことと、
を含む、方法。
【請求項５４】
ＩＩＩ前記睡眠前構成、前記方法は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１０％を下回るように、前記複数のＬＥＤダイを駆動するように前記駆動回路を構成することをさらに含む、請求項５３に記載の方法。
【請求項５５】
前記位相シフト構成において、前記方法は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１２５％を上回るように、前記複数のＬＥＤダイを駆動するように前記駆動回路を構成することをさらに含む、請求項５３に記載の方法。
【請求項５６】
前記一般的な照明構成において、前記方法は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１００％〜約２０％内に収まるように、前記複数のＬＥＤダイを駆動するように前記駆動回路を構成することをさらに含む、請求項５３に記載の方法。
【請求項５７】
前記方法は、前記睡眠前構成において、前記ダイから放出される放射力の比が前記ミントＬＥＤダイから生成される放射力が約１ワットであり、前記赤色／オレンジ色ＬＥＤダイから生成される放射力が約０．８ワットであり、前記シアンＬＥＤダイから生成される放射力が約０．３ワットとなるように、前記複数のＬＥＤダイを駆動するように前記駆動回路を構成することをさらに含む、請求項５３に記載の方法。
【請求項５８】
前記方法は、前記一般的な照明構成において、前記ダイから放出される放射力の比が、前記ミントＬＥＤダイから生成される放射力が約１ワットであり、前記赤色／オレンジ色ＬＥＤダイから生成される放射力が約０．２ワットであり、前記青色ＬＥＤダイから生成される放射力が約０．２ワットとなるように、前記複数のＬＥＤダイを駆動するように前記駆動回路を構成することをさらに含む、請求項５３に記載の方法。
【請求項５９】
前記ダイから放出される放射力の比が、前記ミントＬＥＤダイから生成される放射力が約１ワットであり、前記赤色／オレンジ色ＬＥＤダイから生成される放射力が約０．１ワットであり、前記青色ＬＥＤダイから生成される放射力が約０．５ワットとなるように、前記複数のＬＥＤダイを駆動するように前記駆動回路を構成することをさらに含む、請求項５３に記載の方法。
【請求項６０】
前記睡眠前構成において、前記方法は、約９５０ｍＡの電流が前記ミントＬＥＤダイへ送達され、約１，０００ｍＡの電流が前記赤色／オレンジ色ＬＥＤダイへ送達され、約６５ｍＡの電流が前記シアンＬＥＤダイへ送達されるように、前記複数のＬＥＤダイを駆動するように前記駆動回路を構成することをさらに含む、請求項５３に記載の方法。
【請求項６１】
前記位相シフト構成において、前記方法は、約９５０ｍＡの電流が前記ミントＬＥＤダイへ送達され、約１５０ｍＡの電流が赤色ＬＥＤダイへ送達され、約２３５ｍＡの電流が前記シアンＬＥＤダイへ送達され、約５２５ｍＡの電流が前記青色ＬＥＤダイへ送達されるように、前記複数のＬＥＤダイを駆動するように前記駆動回路を構成することをさらに含む、請求項５３に記載の方法。
【請求項６２】
前記一般的な照明構成において、前記方法は、約５００ｍＡの電流が前記ミントＬＥＤダイへ送達され、約２５０ｍＡの電流が赤色ＬＥＤダイへ送達され、約２１０ｍＡの電流が前記シアンＬＥＤダイへ送達され、約１９０ｍＡの電流が前記青色ＬＥＤダイへ送達されるように、前記複数のＬＥＤダイを駆動するように前記駆動回路を構成することをさらに含む、請求項５３に記載の方法。
【請求項６３】
ＬＥＤランプであって、
ハウジングと、
前記ハウジング内に配置されかつ電力源へ電気的に接続するように構成された駆動回路と、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動され、前記駆動回路は、前記複数のＬＥＤダイのうち少なくとも一部を駆動して睡眠前照明スペクトルを生成し、可視スペクトル出力範囲約３８０ｎｍ〜約４８５ｎｍにおける青色出力強度レベルは、約４８５ｎｍを超える可視スペクトル出力中の他の任意のピークの相対的スペクトルパワーの約１０％を下回る、複数のＬＥＤダイと、
を含む、ＬＥＤランプ。
【請求項６４】
前記複数のＬＥＤダイに含まれるミントダイのパワースペクトルは、４６０−４９０ｎｍ領域においてノッチまたは溝部を有する、請求項６３に記載のＬＥＤランプ。
【請求項６５】
ＬＥＤミントダイパワースペクトルは、約４７０〜４７５ｎｍまたはその近隣において最小中心を有するノッチまたは溝部を有する、請求項６３に記載のＬＥＤランプ。
【請求項６６】
ミントダイによって示されるパワースペクトルにおいて、４７０〜４８０ｎｍ範囲における放射力の最大強度は、前記ダイのピーク強度の約２．５％未満である、請求項６３に記載のＬＥＤランプ。
【請求項６７】
前記ランプの有効性は、約９０ルーメン／ワットを超える、請求項６３に記載のＬＥＤランプ。
【請求項６８】
前記複数のＬＥＤダイを少なくとも１つのさらなる光出力構成において駆動するように前記駆動回路を駆動するように前記駆動回路へ電気的に接続された出力選択コントローラをさらに含む、請求項６３に記載のＬＥＤランプ。
【請求項６９】
前記さらなる光出力構成は、位相シフト構成および一般的な照明構成を含む、請求項６８に記載のＬＥＤランプ。
【請求項７０】
前記一般的な照明構成において、有効性は約６９ルーメン／ワットを超え、前記位相シフト構成において、前記有効性は約６３ルーメン／ワットを超え、睡眠前構成において、前記有効性は９０ルーメン／ワットを超える、請求項６９に記載のＬＥＤランプ。